【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
複数の無線周波数チャネル上で伝送されているワイヤレス信号を検出することであって、該無線周波数チャネルの各々は、少なくとも１つのアクセスポイントによって提供されている、ことと、
検出された該ワイヤレス信号に応じて、アクセスリスポイントのリストを生成することと、
該リスト上の該アクセスポイントのうちの少なくとも２つとの同時通信セッションを確立することと
を包含する、方法。
【請求項２】
前記検出するステップは、定期的に行われる、請求項１に記載の方法。
【請求項３】
前記検出するステップは、継続的に行われる、請求項１に記載の方法。
【請求項４】
前記通信セッション中に、データ転送を管理すること
をさらに含む、請求項１に記載の方法。
【請求項５】
前記通信セッションの間に、データをルーティングすること
をさらに含む、請求項１に記載の方法。
【請求項６】
前記ルーティングするステップは、前記データのタイプに応じて実行される、請求項５に記載の方法。
【請求項７】
所定の方法に基づいて、前記少なくとも２つのアクセスポイントを選択すること
をさらに含む、請求項１に記載の方法。
【請求項８】
アップストリームおよびダウンストリームの通信に応じてデータを格納すること
をさらに含む、請求項１に記載の方法。
【請求項９】
前記通信セッションのうちの少なくとも１つは、ＩＥＥＥ８０２．１１ａ標準プロトコルにしたがって確立される、請求項１に記載の方法。
【請求項１０】
前記通信セッションのうちの少なくとも１つの間に、６、９、１２、１８、２４、３６、４８および５４Ｍｂｐｓのうちのいずれか１つでデータを転送すること
をさらに含む、請求項９に記載の方法。
【請求項１１】
前記少なくとも２つのアクセスポイントによって提供されている前記無線周波数チャネルは、オーバーラップしない、請求項１０に記載の方法。
【請求項１２】
前記通信セッションは、３つのオーバーラップのないチャネル上で、前記リストからの３つのアクセスポイントを用いて確立される、請求項１１に記載の方法。
【請求項１３】
前記通信セッションのうちの少なくとも１つは、ＩＥＥＥ８０２．１１ｂ標準プロトコルにしたがって確立される、請求項１に記載の方法。
【請求項１４】
前記少なくとも１つの通信セッションの間に、１、２、５．５、および１１Ｍｂｐｓのうちのいずれか１つでデータを転送すること
をさらに含む、請求項１３に記載の方法。
【請求項１５】
前記少なくとも２つのアクセスポイントによって提供されている前記無線周波数チャネルは、オーバーラップしない、請求項１４に記載の方法。
【請求項１６】
前記通信セッションは、３つのオーバーラップのないチャネル上で、前記リストからの３つのアクセスポイントを用いて確立される、請求項１５に記載の方法。
【請求項１７】
前記通信セッションのうちの少なくとも１つは、ＩＥＥＥ８０２．１１ｇ標準プロトコルにしたがって確立される、請求項１に記載の方法。
【請求項１８】
前記少なくとも１つの通信セッションの間に、１、２、５．５、６、９、１１、１２、１８、２４、３６、４８、および５４Ｍｂｐｓのうちのいずれか１つでデータを転送すること
をさらに含む、請求項１７に記載の方法。
【請求項１９】
前記少なくとも２つのアクセスポイントによって提供されている前記無線周波数チャネルは、オーバーラップしない、請求項１８に記載の方法。
【請求項２０】
前記通信セッションは、３つのオーバーラップのないチャネル上で、前記リストからの３つのアクセスポイントを用いて確立される、請求項１９に記載の方法。
【請求項２１】
複数のアクセスポイントであって、それぞれの無線周波数チャネル上で通信する、複数のアクセスポイントと、
無線周波数チャネルの各々の上でのワイヤレスアクティビティに応じて、該複数のアクセスポイントから少なくとも２つのアクセスポイントを選択するワイヤレスクライアントデバイスであって、該ワイヤレスクライアントデバイスは、該少なくとも２つのアクセスポイントとの同時通信セッションを確立する、ワイヤレスクライアントデバイスと
を備えたシステムであって、
該複数のアクセスポイントの各々は、シングルチャネルおよびマルチチャネルのアクセスポイントのうちのいずれか１つである、システム。
【請求項２２】
アンテナアセンブリと、
複数の無線周波数チャネル上で伝送されているワイヤレス信号を検出するマルチチャネル無線ユニットであって、該無線周波数チャネルの各々は、少なくとも１つのアクセスポイントによって提供されている、マルチチャネル無線ユニットと、
検出されたワイヤレス信号に応じて、アクセスポイントのリストを生成する中央処理ユニットであって、該中央処理ユニットは、該リストから少なくとも２つのアクセスポイントを選択し、該マルチチャネル無線ユニット、該アンテナアセンブリ、および該少なくとも２つのアクセスポイントとの同時ワイヤレス通信セッションを用いる、中央処理ユニットと
を備えている、装置。
【請求項２３】
前記中央処理ユニットは、専用のソフトウェアを用いて、前記検出されたワイヤレス信号を解析する、請求項２２に記載の装置。
【請求項２４】
前記専用のソフトウェアは、ドライバソフトウェアである、請求項２３に記載の装置。
【請求項２５】
前記中央処理ユニットは、ファームウェアソフトウェアを用いて、前記検出されたワイヤレス信号を解析する、請求項２２に記載の装置。
【請求項２６】
データ入力ユニットと、
第１のインターフェースを用いて、該データ入力ユニットに接続された中央処理ユニット（ＣＰＵ）と、
第２のインターフェースを用いて、該中央処理ユニットに接続されたマルチチャネル無線ユニットであって、該マルチチャネル無線ユニットは、該マルチチャネル無線ユニットのそれぞれのチャネル上で少なくとも２つのアクセスポイントとの同時ワイヤレス通信を実行するように構成されている、マルチチャネル無線ユニットと、
該マルチチャネル無線ユニットに接続されたアンテナアセンブリと
を備えている、ワイヤレスクライアント装置。
【請求項２７】
前記データ入力ユニットは、スキャニングエンジン、署名キャプチャパッド、タッチスクリーン、カメラ、生態認証デバイス、磁気ストライプリーダー、キーパッドおよびマウスのうちのいずれか１つである、請求項２６に記載のワイヤレスクライアント装置。
【請求項２８】
前記ＣＰＵは、外部メモリを含む、請求項２６に記載のワイヤレスクライアント装置。
【請求項２９】
前記ＣＰＵは、内部メモリを含む、請求項２６に記載のワイヤレスクライアント装置。
【請求項３０】
ドライバソフトウェアが前記ＣＰＵ上で実行する、請求項２６に記載のワイヤレスクライアント装置。
【請求項３１】
前記ドライバソフトウェアは前記ＣＰＵ上で実行し、該ＣＰＵの外部メモリに常駐している、請求項２６に記載のワイヤレスクライアント装置。
【請求項３２】
前記ドライバソフトウェアは前記ＣＰＵ上で実行し、該ＣＰＵの内部メモリに常駐している、請求項２６に記載のワイヤレスクライアント装置。
【請求項３３】
前記第１のインターフェースは、シリアルインターフェース、パラレルインターフェース、およびビデオインターフェースのうちのいずれか１つである、請求項２６に記載のワイヤレスクライアント装置。
【請求項３４】
前記第２のインターフェースは、ミニＰＣＵバスである、請求項２６に記載のワイヤレスクライアント装置。
【請求項３５】
前記アンテナアセンブリは、一対のアンテナ、円形アンテナ、およびアンテナのアレイのうちのいずれか１つである、請求項２６に記載のワイヤレスクライアント装置。
【請求項３６】
複数の無線周波数チャネル上で伝送されているワイヤレス信号を検出するワイドバンド無線周波数チップセットであって、該無線周波数チャネルの各々は、少なくとも１つのアクセスポイントによって提供されている、ワイドバンド無線周波数チップセットと、
該検出されたワイヤレス信号に応じて、少なくとも２つのアクセスポイントを選択するプロセッサであって、該プロセッサは、該少なくとも２つのアクセスポイントとの同時通信セッションを確立する、プロセッサと
を備えている、ワイヤレスデバイス。
【請求項３７】
前記チップセットおよび前記プロセッサに電力を提供する電源回路と、
複数のドライバを格納する前記プロセッサに接続されているメモリと、
該チップセット、該プロセッサ、該電源回路、および該メモリを相互接続する複数のコネクタと
をさらに含む、請求項３６に記載のワイヤレスデバイス。
【請求項３８】
前記プロセッサに接続された発振器
をさらに含む、請求項３６に記載のワイヤレスデバイス。
【請求項３９】
入力を受信するデータ入力ユニット
をさらに含み、
該データ入力ユニットは、キーパッド、トリガー、マイクロホン、タッチスクリーン、ポート、カード、撮像装置、およびスキャナのうちのいずれか１つである、請求項３６に記載のワイヤレスデバイス。
【請求項４０】
前記ワイヤレスデバイスは、バーコードリーダーである、請求項３６に記載のワイヤレスデバイス。
【請求項４１】
前記ワイヤレスデバイスは、ＲＦＩＤリーダーである、請求項３６に記載のワイヤレスデバイス。
【請求項４２】
生態認証システム
をさらに含む、請求項３６に記載のワイヤレスデバイス。
【請求項４３】
前記生態認証システムは、指紋リーダーである、請求項４２に記載のワイヤレスデバイス。
【請求項４４】
前記生態認証システムは、音声リーダーである、請求項４２に記載のワイヤレスデバイス。
【請求項４５】
前記生態認証システムは、網膜リーダーである、請求項４２に記載のワイヤレスデバイス。
【請求項４６】
前記ワイヤレスデバイスは、無線カードである、請求項３６に記載のワイヤレスデバイス。
【請求項４７】
前記ワイヤレスデバイスは、電話デバイスである、請求項３６に記載のワイヤレスデバイス。
【請求項４８】
前記ワイヤレスデバイスは、ＰＤＡである、請求項３６に記載のワイヤレスデバイス。
【請求項４９】
前記ワイヤレスデバイスは、カメラである、請求項３６に記載のワイヤレスデバイス。
【請求項５０】
前記プロセッサは、前記ワイヤレス信号を（ｉ）ＩＥＥＥ８０２．１１信号、および（ｉｉ）非ＩＥＥＥ８０２．１１信号に分割する、請求項３６に記載のワイヤレスデバイス。
【請求項５１】
前記プロセッサは、（ｉ）前記ワイヤレス信号が前記無線周波数チャネル上で伝送される周波数、（ｉｉ）該無線周波数チャネルの各々の上で転送されるデータの量、（ｉｉｉ）該無線周波数チャネルの各々の上で転送されるデータのタイプ、のうちの少なくとも１つに応じて、前記少なくとも２つのアクセスポイントを選択する、請求項３６に記載のワイヤレスデバイス。
【請求項５２】
前記プロセッサは、前記ワイドバンド無線周波数チップセットによって検出された前記ワイヤレス信号に対して、高速フーリエ変換を実行する、請求項３６に記載のワイヤレスデバイス。
【請求項５３】
前記通信セッションは、ＩＥＥＥ８０２．１１ａ標準プロトコル、ＩＥＥＥ８０２．１１ｂ標準プロトコル、およびＩＥＥＥ８０２．１１ｇ標準プロトコルのうちの少なくとも１つにしたがって実行される、請求項３６に記載のワイヤレスデバイス。
【請求項５４】
前記ワイドバンド無線周波数チップセットは、定期的または継続的のうちのいずれか１つで、前記ワイヤレス信号を検出する、請求項３６に記載のワイヤレスデバイス。
【請求項５５】
前記プロセッサは、前記少なくとも２つのアクセスポイントにアップロードされるデータのタイプに応じて、該少なくとも２つのアクセスポイントを選択する、請求項３６に記載のワイヤレスデバイス。
【請求項５６】
前記データのタイプは、データおよび音声のうちのいずれか１つである、請求項５５に記載のワイヤレスデバイス。